【手続補正書】
【提出日】平成19年11月5日(2007.11.5)
【手続補正１】
【補正対象書類名】特許請求の範囲
【補正対象項目名】全文
【補正方法】変更
【補正の内容】
【特許請求の範囲】
【請求項１】
ＰＣＭオーディオフレームの１以上の順序付けられたシーケンスを処理する方法であって、
前記順序付けられたシーケンスにおいて、先行する隣のフレームの終端部のＰＣＭオーディオの実質的なレプリカであるＰＣＭオーディオセグメントを、順序付けられたシーケンスの最初のフレームを除く１以上の順序付けられたシーケンスの全てのフレームの先端部に付加し（２）、又は、前記順序付けられたシーケンスにおいて、後続する隣のフレームの先端部のＰＣＭオーディオの実質的なレプリカであるＰＣＭオーディオセグメントを、順序付けられたシーケンスの最初のフレームを除く１以上の順序付けられたシーケンスの全てのフレームの後端部に付加し（２）、これにより、修正されたフレームを生成する、ステップと、
順序付けられた１以上のＰＣＭオーディオフレームのシーケンスのうちの１つと同じ順序のシーケンシャルな順序に前記修正されたフレームを保持し（４）、又は、前記修正されたフレームにさらなるシーケンシャルな順序を割り当て、順序付けられた１以上のＰＣＭオーディオフレームのうちの１つのシーケンスとは異なった順序のシーケンシャルな順序にし、これにより、前記さらなるシーケンシャルな順序は、順序付けられた１以上のＰＣＭオーディオフレームのうちの１つの順序に関して順序に少なくとも１つの不連続点をもつこととなる、ステップと、
セグメントがフレームの先端部に付加されたとき、不連続点の後にある前記修正されたフレームの先端部に付加されたＰＣＭオーディオをフェードアップし（８）、不連続点の前にある前記修正されたフレームの後端部にあるＰＣＭオーディオをフェードダウンし（８）、セグメントがフレームの後端部に付加されたとき、不連続点の前にある前記修正されたフレームの後端部に付加されたＰＣＭオーディオをフェードダウンし（８）、不連続点の後にある前記修正されたフレームの先端部にＰＣＭオーディオをフェードアップする（８）、ステップと、
修正されフェードアップ及びフェードダウンされたフレームのシーケンスにおける不連続点の前後に、前記フェードアップ及びフェードダウンされたＰＣＭオーディオを重複させて付加的に結合する（１２）ステップと、
修正されたフレームのシーケンシャルな対が前記付加部分の前後に不連続点を含まない場合、修正されたフレームの前記シーケンシャルな対における修正されたフレームに付加されたＰＣＭオーディオの前記セグメントを除去し（１０）、その結果生じたＰＣＭオーディオフレームを結合させるステップと、を具備し、
１以上の順序付けられたＰＣＭオーディオフレームのシーケンスのうちの１つと同じ順序を持つか又は、ＰＣＭオーディオフレームのシーケンス間に１以上の不連続点を持つ、さらに順序付けられたＰＣＭオーディオフレームが提供され、前記シーケンスの各々は、前記１以上の順序付けられたＰＣＭオーディオフレームのシーケンスの１つ又は一部分と同じ順序を持ち、不連続点は、関連するＰＣＭオーディオのクロスフェードされた部分を持ち、そこでフェードアップ及びフェードダウンされたＰＣＭオーディオを重複させて結合させることを特徴とするＰＣＭオーディオフレームの１以上の順序付けられたシーケンスを処理する方法。
【請求項２】
ＰＣＭオーディオフレームの１以上の順序付けられたシーケンスを処理する方法であって、
前記順序付けられたシーケンスにおいて、先行する隣のフレームの終端部のＰＣＭオーディオの実質的なレプリカであるＰＣＭオーディオセグメントを、順序付けられたシーケンスの最初のフレームを除く１以上の順序付けられたシーケンスの全てのフレームの先端部にのみ付加し（２）、又は、前記順序付けられたシーケンスにおいて、後続する隣のフレームの先端部のＰＣＭオーディオの実質的なレプリカであるＰＣＭオーディオセグメントを、順序付けられたシーケンスの最初のフレームを除く１以上の順序付けられたシーケンスの全てのフレームの後端部に付加し（２）、これにより、修正されたフレームを生成する、ステップと、
前記修正されたフレームを伝送し（１３２，１３６）、記憶し（１３２，１３６）、又は伝送しかつ記憶する（１３２，１３６）ステップとを具備するＰＣＭオーディオフレームの１以上の順序付けられたシーケンスを処理する方法。
【請求項３】
前記修正されたフレームを時間圧縮するステップをさらに具備し、前記伝送し、記憶し、又は伝送しかつ記憶するステップにおいて、修正され時間圧縮されたフレームを伝送し、記憶し、又は伝送しかつ記憶することを特徴とする請求項２に記載の方法。
【請求項４】
前記修正されたフレームを時間圧縮及びエンコードするステップをさらに具備し、前記伝送し、記憶し、又は伝送しかつ記憶するステップにおいて、修正され時間圧縮されたフレームを伝送し、記憶し、又は伝送しかつ記憶することを特徴とする請求項２に記載の方法。
【請求項５】
ＰＣＭオーディオデータを処理する方法であって、
修正されたＰＣＭオーディオフレームを受信するステップであって、該修正されたフレームは、順序付けられたシーケンスの最初のフレームを除く１以上の順序付けられたシーケンスの全てのフレームの先端部に、前記順序付けられたシーケンスにおいて先行する隣のフレームの後端部のＰＣＭオーディオの実質的なレプリカであるＰＣＭオーディオのセグメントを付加するか又は、順序付けられたシーケンスの最初のフレームを除く１以上の順序付けられたシーケンスの全てのフレームの後端部に、前記順序付けられたシーケンスにおいて後続する隣のフレームの先端部のＰＣＭオーディオの実質的なレプリカであるＰＣＭオーディオセグメントを付加することで、ＰＣＭオーディオフレームの１以上の前記順序付けられたシーケンスを処理することにより生成されたものである、ステップと、
順序付けられた１以上のＰＣＭオーディオフレームのシーケンスのうちの１つと同じ順序のシーケンシャルな順序に前記修正されたフレームを保持し（４）、又は、前記修正されたフレームにさらなるシーケンシャルな順序を割り当て、順序付けられた１以上のＰＣＭオーディオフレームのうちの１つのシーケンスとは異なった順序のシーケンシャルな順序にし、これにより、前記さらなるシーケンシャルな順序は、順序付けられた１以上のＰＣＭオーディオフレームのうちの１つの順序とは順序に少なくとも１つの不連続点をもつこととなる、ステップと、
セグメントがフレームの先端部に付加されたとき、不連続点の後にある前記修正されたフレームの先端部に付加されたＰＣＭオーディオをフェードアップし（８）、不連続点の前にある前記修正されたフレームの後端部にあるＰＣＭオーディオをフェードダウンし（８）、セグメントがフレームの後端部に付加されたとき、不連続点の前にある前記修正されたフレームの後端部に付加されたＰＣＭオーディオをフェードダウンし（８）、不連続点の後にある前記修正されたフレームの先端部にＰＣＭオーディオをフェードアップする（８）、ステップと、
修正されフェードアップ及びフェードダウンされたフレームのシーケンスにおける不連続点の前後に、前記フェードアップ及びフェードダウンされたＰＣＭオーディオを重複させて付加的に結合する（１２）ステップと、
修正されたフレームのシーケンシャルな対が前記付加部分の前後に不連続点を含まない場合、修正されたフレームの前記シーケンシャルな対における修正されたフレームに付加されたＰＣＭオーディオの前記セグメントを除去し（１０）、その結果生じたＰＣＭオーディオフレームを結合させるステップと、を具備し、
１以上の順序付けられたＰＣＭオーディオフレームのシーケンスのうちの１つと同じ順序を持つか又は、ＰＣＭオーディオフレームのシーケンス間に１以上の不連続点を持つ、さらに順序付けられたＰＣＭオーディオフレームが提供され、前記シーケンスの各々は、前記１以上の順序付けられたＰＣＭオーディオフレームのシーケンスの１つ又は一部分と同じ順序を持ち、不連続点は、関連するＰＣＭオーディオのクロスフェードされた部分を持ち、そこでフェードアップ及びフェードダウンされたＰＣＭオーディオを重複させて結合させることを特徴とする、ＰＣＭオーディオデータを処理する方法。
【請求項６】
前記受信した修正されたＰＣＭオーディオフレームは時間圧縮されていて、前記受信した修正されたＰＣＭオーディオフレームを伸張するステップをさらに具備することを特徴とする請求項５に記載の方法。
【請求項７】
前記受信した修正されたＰＣＭオーディオフレームは時間圧縮とエンコードとがなされており、前記受信した修正されたＰＣＭオーディオフレームを伸張するステップをさらに具備することを特徴とする請求項５に記載の方法。
【請求項８】
ＰＣＭオーディオデータを処理する方法であって、
修正されたＰＣＭオーディオフレームを受信するステップであって、
該修正されたフレームは、
順序付けられたシーケンスの最初のフレームを除く１以上の順序付けられたシーケンスの全てのフレームの先端部に、順序付けられたシーケンスにおいて先行する隣のフレームの後端部のＰＣＭオーディオの実質的なレプリカであるＰＣＭオーディオセグメントを付加するか又は、順序付けられたシーケンスの最初のフレームを除く１以上の順序付けられたシーケンスの全てのフレームの後端部に、前記順序付けられたシーケンスにおいて後続する隣のフレームの先端部のＰＣＭオーディオの実質的なレプリカであるＰＣＭオーディオセグメントを付加することで、ＰＣＭオーディオフレームの１以上の順序付けられたシーケンスを処理することにより生成されたものであり、
順序付けられた１以上のＰＣＭオーディオフレームのシーケンスのうちの１つと同じ順序のシーケンシャルな順序を有するか又は、順序付けられた１以上のＰＣＭオーディオフレームのうちの１つのシーケンスとは異なった順序のさらなるシーケンシャルな順序を有し、これにより、前記さらなるシーケンシャルな順序は、順序付けられた１以上のＰＣＭオーディオフレームのうちの１つの順序に関して、その順序に少なくとも１つの不連続点をもつものであることを特徴とする、ステップと、
セグメントがフレームの先端部に付加されたとき、不連続点の後にある前記修正されたフレームの先端部に付加されたＰＣＭオーディオをフェードアップし（８）、不連続点の前にある前記修正されたフレームの後端部にあるＰＣＭオーディオをフェードダウンし（８）、セグメントがフレームの後端部に付加されたとき、不連続点の前にある前記修正されたフレームの後端部に付加されたＰＣＭオーディオをフェードダウンし（８）、不連続点の後にある前記修正されたフレームの先端部のＰＣＭオーディオをフェードアップする（８）、ステップと、
修正されフェードアップ及びフェードダウンされたフレームのシーケンスにおける不連続点の前後に、前記フェードアップ及びフェードダウンされたＰＣＭオーディオを重複させて付加的に結合する（１２）ステップと、
修正されたフレームのシーケンシャルな対が前記付加部分の前後に不連続点を含まない場合、修正されたフレームの前記シーケンシャルな対における修正されたフレームに付加されたＰＣＭオーディオの前記セグメントを除去し、（１０）その結果生じたＰＣＭオーディオフレームを結合させるステップと、を具備し、
１以上の順序付けられたＰＣＭオーディオフレームのシーケンスのうちの１つと同じ順序を持つか又は、ＰＣＭオーディオフレームのシーケンス間に１以上の不連続点を持つ、さらに順序付けられたＰＣＭオーディオフレームが提供され、前記シーケンスの各々は、前記１以上の順序付けられたＰＣＭオーディオフレームのシーケンスの１つ又は一部分と同じ順序を持ち、不連続点は、関連するＰＣＭオーディオのクロスフェードされた部分を持ち、そこでフェードアップ及びフェードダウンされたＰＣＭオーディオを重複させて結合させることを特徴とする、ＰＣＭオーディオデータを処理する方法
【請求項９】
前記受信した修正されたＰＣＭオーディオフレームは時間圧縮されており、前記受信した修正されたＰＣＭオーディオフレームを伸張するステップをさらに具備することを特徴とする請求項８に記載の方法。
【請求項１０】
前記受信した修正されたＰＣＭオーディオフレームは時間圧縮とエンコードとがなされており、前記受信した修正されたＰＣＭオーディオフレームを伸張するステップとデコーディングするステップとをさらに具備することを特徴とする請求項８に記載の方法。
【請求項１１】
前記修正されたフレームを、受信したときのそれらの順序と同じシーケンシャルな順序に保持するステップをさらに具備し、前記修正されたフレームは、前記ＰＣＭオーディオフレームの１以上の順序付けられたシーケンスのうちの１つの順序に関して、その順序に少なくとも１つの不連続点をもつか、又は、前記修正されたフレームにさらなるシーケンシャルな順序を割り当て、受信した順序とは異なった順序のシーケンシャルな順序にし、ここで、前記さらなるシーケンシャルな順序は、前記ＰＣＭオーディオフレームの１以上の順序付けられたシーケンスのうちの１つの順序に関して、その順序に少なくとも１つの不連続点をもつことを特徴とする請求項８に記載の方法。
【請求項１２】
ＰＣＭオーディオフレームの１以上の順序付けられたシーケンスを処理する方法であって、
前記順序付けられたシーケンスにおいて先行する隣のフレームの後端部のＰＣＭオーディオの実質的なレプリカであるＰＣＭオーディオセグメントを、順序付けられたシーケンスの最初のフレームを除く１以上の順序付けられたシーケンスの全てのフレームの先端部に付加し、又は、前記順序付けられたシーケンスにおいて後続する隣のフレームの先端部のＰＣＭオーディオの実質的なレプリカであるＰＣＭオーディオセグメントを、順序付けられたシーケンスの最初のフレームを除く１以上の順序付けられたシーケンスの全てのフレームの後端部に付加し、これにより、修正されたフレームを生成するステップと、
セグメントがフレームの先端部に付加されたとき、前記修正されたフレームの先端部に付加されたＰＣＭオーディオをフェードアップし（８）、かつ、前記修正されたフレームの後端部にあるＰＣＭオーディオをフェードダウンし（８）、セグメントがフレームの後端部に付加されたとき、前記修正されたフレームの後端部に付加されたＰＣＭオーディオをフェードダウンし（８）、かつ、前記修正されたフレームの先端部のＰＣＭオーディオをフェードアップする（８）ステップと、
順序付けられた１以上のＰＣＭオーディオフレームのシーケンスのうちの１つと同じ順序のシーケンシャルな順序に、前記修正されたフレーム又は前記フェードアップ及びフェードダウンした修正されたフレームを保持し（４）、又は、前記修正されたフレーム又は前記フェードアップ及びフェードダウンした修正されたフレームに、さらなるシーケンシャルな順序を割り当て、順序付けられた１以上のＰＣＭオーディオフレームのうちの１つとは異なった順序のシーケンシャルな順序にし、これにより、前記さらなるシーケンシャルな順序は、順序付けられた１以上のＰＣＭオーディオフレームのうちの１つのシーケンスの順序に関して順序に少なくとも１つの不連続点をもつこととなる、ステップと、
順序付けられた１以上のＰＣＭオーディオフレームのシーケンスのうちの１つと同じ順序のシーケンシャルな順序を持つか又はさらなるシーケンシャルな順序を持つ修正されフェードアップ及びフェードダウンされたフレームのシーケンスに、フェードアップ及びフェードダウンされたシーケンシャルな対のＰＣＭオーディオを重複させて付加的に結合する（１２）ステップと、を具備し、
１以上の順序付けられたＰＣＭオーディオフレームのシーケンスのうちの１つと同じ順序を持つか又は、ＰＣＭオーディオフレームのシーケンス間に１以上の不連続点を持つ、さらに順序付けられたＰＣＭオーディオフレームを提供し、前記シーケンスの各々は、前記１以上の順序付けられたＰＣＭオーディオフレームのシーケンスの１つ又は一部分と同じ順序を持ち、さらに順序付けられたＰＣＭオーディオフレームにおける連続する対は、関連するＰＣＭオーディオのクロスフェードされた部分を持ち、そこでフェードアップ及びフェードダウンされたＰＣＭオーディオを重複させて結合させることを特徴とするＰＣＭオーディオフレームの１以上の順序付けられたシーケンスを処理する方法。
【請求項１３】
ＰＣＭオーディオフレームの１以上の順序付けられたシーケンスを処理する方法であって、
前記順序付けられたシーケンスにおいて、先行する隣のフレームの終端部のＰＣＭオーディオの実質的なレプリカであるＰＣＭオーディオセグメントを、順序付けられたシーケンスの最初のフレームを除く１以上の順序付けられたシーケンスの全てのフレームの先端部にのみ付加し（２）、又は、前記順序付けられたシーケンスにおいて、後続する隣のフレームの先端部のＰＣＭオーディオの実質的なレプリカであるＰＣＭオーディオセグメントを、順序付けられたシーケンスの最初のフレームを除く１以上の順序付けられたシーケンスの全てのフレームの後端部に付加し（２）、これにより、修正されたフレームを生成する、ステップと、
セグメントがフレームの先端部に付加されたとき、前記修正されたフレームの先端部に付加されたＰＣＭオーディオをフェードアップし（８）、かつ、前記修正されたフレームの後端部の前記ＰＣＭオーディオをフェードダウンする（８）か又は、セグメントがフレームの後端部に付加されたとき、修正されたフレームの後端部に付加されたＰＣＭオーディオをフェードダウンし（８）、かつ、修正されたフレームの先端部のＰＣＭオーディオをフェードアップする（８）ステップと、
前記修正されフェードアップ及びフェードダウンされたフレームを伝送し（１３２，１３６）、記憶し（１３２，１３６）、又は伝送しかつ記憶する（１３２，１３６）ステップとを具備する、ＰＣＭオーディオフレームの１以上の順序付けられたシーケンスを処理する方法
【請求項１４】
前記修正されフェードアップ及びフェードダウンされたフレームを時間圧縮するステップをさらに具備し、前記伝送し、記憶し、又は伝送しかつ記憶するステップにおいて、修正されフェードアップ及びフェードダウンされ時間圧縮されたフレームを伝送し、記憶し、又は伝送しかつ記憶することを特徴とする請求項１３に記載の方法。
【請求項１５】
前記修正されフェードアップ及びフェードダウンされたフレームを時間圧縮及びエンコードするステップをさらに具備し、前記伝送し、記憶し、又は伝送しかつ記憶するステップにおいて、修正されフェードアップ及びフェードダウンされエンコードされ時間圧縮されたフレームを伝送し、記憶し、又は伝送しかつ記憶することを特徴とする請求項１３に記載の方法。
【請求項１６】
前記修正されフェードアップ及びフェードダウンされたフレームは、ＰＣＭオーディオの一部をフェーディング関数で乗算し、他のＰＣＭオーディオの一部から前記乗算した結果得られたＰＣＭオーディオの一部を減算する処理を行なうことにより生成されたことを特徴とする請求項８に記載の方法。
【請求項１７】
ＰＣＭオーディオデータを処理する方法であって、
修正されフェードアップ及びフェードダウンされたＰＣＭオーディオフレームを受信するステップであって、
該修正されフェードアップ及びフェードダウンされたフレームは、
順序付けられたシーケンスの最初のフレームを除く１以上の順序付けられたシーケンスの全てのフレームの先端部に、前記順序付けられたシーケンスにおいて先行する隣のフレームの後端部のＰＣＭオーディオの実質的なレプリカであるＰＣＭオーディオセグメントを付加する（２）か又は、順序付けられたシーケンスの最初のフレームを除く１以上の順序付けられたシーケンスの全てのフレームの後端部に、前記順序付けられたシーケンスにおいて後続する隣のフレームの先端部のＰＣＭオーディオの実質的なレプリカであるＰＣＭオーディオセグメントを付加する（２）ことで、ＰＣＭオーディオフレームの１以上の順序付けられたシーケンスを処理すること、及び
セグメントがフレームの先端部に付加されたとき、前記修正されたフレームの先端部に付加されたＰＣＭオーディオをフェードアップし（８）、前記修正されたフレームの後端部にあるＰＣＭオーディオをフェードダウンし（８）、セグメントがフレームの後端部に付加されたとき、前記修正されたフレームの後端部に付加されたＰＣＭオーディオをフェードダウンし（８）、前記修正されたフレームの先端部のＰＣＭオーディオをフェードアップする（８）ことにより、ＰＣＭオーディオフレームの１以上の順序付けられたシーケンスを処理して、生成されたものであることを特徴とする、ステップと、
順序付けられた１以上のＰＣＭオーディオフレームのシーケンスのうちの１つと同じ順序のシーケンシャルな順序に、前記修正されフェードアップ及びフェードダウンされたフレームを保持し（４）、又は、前記修正されフェードアップ及びフェードダウンされたフレームに、さらなるシーケンシャルな順序を割り当て、順序付けられた１以上のＰＣＭオーディオフレームのうちの１つとは異なった順序のシーケンシャルな順序にし、これにより、前記さらなるシーケンシャルな順序は、順序付けられた１以上のＰＣＭオーディオフレームのうちの１つのシーケンスの順序に関して、その順序に少なくとも１つの不連続点をもつこととなる、ステップと、
修正されフェードアップ及びフェードダウンされたフレームのシーケンスに、前記フェードアップ及びフェードダウンされたＰＣＭオーディオのシーケンシャルな対を重複させて付加的に結合する（１２）ステップと、を具備し
さらに順序付けられたＰＣＭオーディオフレームのシーケンスであって、ＰＣＭオーディオフレームの連続する対が、フェードアップ及びフェードダウンされたＰＣＭオーディオを重複させて付加的に結合させたＰＣＭオーディオのクロスフェードされた部分を持っているＰＣＭオーディオフレームのシーケンス、を提供することを特徴とする、ＰＣＭオーディオデータを処理する方法。
【請求項１８】
前記受信した修正されフェードアップ及びフェードダウンされたＰＣＭオーディオフレームは時間圧縮され、前記受信した修正されたＰＣＭオーディオフレームを伸張するステップをさらに具備する請求項１７に記載の方法。
【請求項１９】
前記修正されフェードアップ及びフェードダウンされたＰＣＭオーディオフレームは時間圧縮とエンコードがなされ、前記受信した修正されたＰＣＭオーディオフレームを伸張するステップとデコードするステップとをさらに具備する請求項１７に記載の方法。
【請求項２０】
前記修正されフェードアップ及びフェードダウンされたＰＣＭオーディオフレームは損失のないコーディングによりエンコードされることを特徴とする請求項１９に記載の方法。
【請求項２１】
前記修正されフェードアップ及びフェードダウンされたフレームは、ＰＣＭオーディオの一部をフェーディング関数で乗算し、他のＰＣＭオーディオの一部から前記乗算した結果得られたＰＣＭオーディオの一部を減算する処理を行なうことにより生成され、前記さらなるＰＣＭオーディオフレームのシーケンスは、前記受信した順序付けられたＰＣＭオーディオフレームのシーケンスの少なくとも一部と同じ順序を有し、前記さらなるＰＣＭオーディオフレームのシーケンスは、前記受信した順序付けられたＰＣＭオーディオフレームのシーケンスの少なくとも一部と実質的に同一に再構成したものであることを特徴とする請求項１７又は請求項２０に記載の方法。
【請求項２２】
ＰＣＭオーディオを処理する方法であって、
修正されフェードアップ及びフェードダウンされたＰＣＭオーディオフレームを受信するステップであって、
該修正されフェードアップ及びフェードダウンされたフレームは、
順序付けられたシーケンスの最初のフレームを除く１以上の順序付けられたシーケンスの全てのフレームの先端部に、前記順序付けられたシーケンスにおいて先行する隣のフレームの後端部のＰＣＭオーディオの実質的なレプリカであるＰＣＭオーディオセグメントを付加するか又は、順序付けられたシーケンスの最初のフレームを除く１以上の順序付けられたシーケンスの全てのフレームの後端部に、前記順序付けられたシーケンスにおいて後続する隣のフレームの先端部のＰＣＭオーディオの実質的なレプリカであるＰＣＭオーディオセグメントを付加すること、及び
セグメントがフレームの先端部に付加されたとき、前記修正されたフレームの先端部に付加されたＰＣＭオーディオをフェードアップし（８）、前記修正されたフレームの後端部にあるＰＣＭオーディオをフェードダウンし（８）、セグメントがフレームの後端部に付加されたとき、前記修正されたフレームの後端部に付加されたＰＣＭオーディオをフェードダウンし（８）、前記修正されたフレームの先端部のＰＣＭオーディオをフェードアップする（８）、ことにより、順序付けられたＰＣＭオーディオフレームの１以上のシーケンスを処理して生成されたものであり、
ここで、前記修正されフェードアップ及びフェードダウンされたＰＣＭオーディオフレームは、前記１以上の順序付けられたＰＣＭオーディオフレームのシーケンスの１つと同じシーケンシャルな順序を持つか、又は、さらなるシーケンシャルな順序を持ち、このシーケンシャルな順序は、前記１以上の順序付けられたＰＣＭオーディオフレームの順序とは異なり、前記さらなるシーケンシャルな順序は、前記１以上の順序付けられたＰＣＭオーディオフレームの順序について少なくとも１つの不連続点を有することを特徴とするステップと、
修正されフェードアップ及びフェードダウンされたフレームのシーケンスに、前記フェードアップ及びフェードダウンされたＰＣＭオーディオを重複させて付加的に結合する（１２）ステップとを具備し、
これにより、さらに順序付けられたＰＣＭオーディオフレームのシーケンスであって、ＰＣＭオーディオフレームの連続する対はフェードアップ及びフェードダウンされたＰＣＭオーディオを重複させて結合したＰＣＭオーディオのクロスフェードした部分を有する、さらに順序付けられたＰＣＭオーディオフレームのシーケンスが提供されるとを特徴とする、ＰＣＭオーディオを処理する方法。
【請求項２３】
前記受信した修正されフェードアップ及びフェードダウンされたＰＣＭオーディオフレームは時間圧縮され、前記受信した修正されたＰＣＭオーディオフレームを伸張するステップをさらに具備する請求項２２に記載の方法。
【請求項２４】
前記修正されフェードアップ及びフェードダウンされたＰＣＭオーディオフレームは時間圧縮とエンコードがなされ、前記受信した修正されたＰＣＭオーディオフレームを伸張するステップとデコードするステップとをさらに具備する請求項２２に記載の方法。
【請求項２５】
前記修正されフェードアップ及びフェードダウンされたＰＣＭオーディオフレームは損失のないコーディングによりエンコードされることを特徴とする請求項２４に記載の方法。
【請求項２６】
前記修正されフェードアップ及びフェードダウンされたフレームは、ＰＣＭオーディオの一部をフェーディング関数で乗算し、他のＰＣＭオーディオの一部から前記乗算した結果得られたＰＣＭオーディオの一部を減算する処理を行なうことにより生成され、前記さらなるＰＣＭオーディオフレームのシーケンスは、前記受信した順序付けられたＰＣＭオーディオフレームのシーケンスの少なくとも一部と同じ順序を有し、前記さらなるＰＣＭオーディオフレームのシーケンスは、前記受信した順序付けられたＰＣＭオーディオフレームのシーケンスの少なくとも一部と実質的に同一に再構成したものであることを特徴とする請求項２２又は請求項２５に記載の方法。
【請求項２７】
前記修正されたフレームを、受信したときのそれら順序と同じシーケンシャルな順序に保持するステップをさらに具備し、前記修正されたフレームは、前記ＰＣＭオーディオフレームの１以上の順序付けられたシーケンスのうちの１つの順序に関して、その順序に少なくとも１つの不連続点をもつか、又は、前記修正されたフレームにさらなるシーケンシャルな順序を割り当て、ここで、該さらなるシーケンシャルな順序は、前記ＰＣＭオーディオフレームの１以上の順序付けられたシーケンスのうちの１つの順序に関して、その順序に少なくとも１つの不連続点をもつことを特徴とする請求項２２に記載の方法。
【請求項２８】
ＰＣＭオーディオを処理する方法であって、
修正されたＰＣＭオーディオフレームを受信するステップであって、該修正されたフレームは、順序付けられたシーケンスの最初のフレームを除く１以上の順序付けられたシーケンスの全てのフレームの先端部に、前記順序付けられたシーケンスにおいて先行する隣のフレームの後端部のＰＣＭオーディオの実質的なレプリカであるＰＣＭオーディオのセグメントを付加するか又は、順序付けられたシーケンスの最初のフレームを除く１以上の順序付けられたシーケンスの全てのフレームの後端部に、前記順序付けられたシーケンスにおいて後続する隣のフレームの先端部のＰＣＭオーディオの実質的なレプリカであるＰＣＭオーディオのセグメントを付加することで、ＰＣＭオーディオフレームの１以上の順序付けられたシーケンスを処理することにより生成されたものである、ステップと、
セグメントがフレームの先端部に付加されたとき、前記修正されたフレームの先端部に付加されたＰＣＭオーディオをフェードアップし（８）、前記修正されたフレームの後端部にあるＰＣＭオーディオをフェードダウンし（８）、セグメントがフレームの後端部に付加されたとき、前記修正されたフレームの後端部に付加されたＰＣＭオーディオをフェードダウンし（８）、前記修正されたフレームの先端部のＰＣＭオーディオをフェードアップする（８）ステップと、
順序付けられた１以上のＰＣＭオーディオフレームのシーケンスのうちの１つと同じ順序のシーケンシャルな順序に、前記修正されたフレーム又は前記フェードアップ及びフェードダウンした修正されたフレームを保持し（４）、又は、前記修正されたフレーム又は前記フェードアップ及びフェードダウンした修正されたフレームに、さらなるシーケンシャルな順序を割り当て、順序付けられた１以上のＰＣＭオーディオフレームのうちの１つとは異なった順序のシーケンシャルな順序にし、これにより、前記さらなるシーケンシャルな順序は、順序付けられた１以上のＰＣＭオーディオフレームのうちの１つのシーケンスの順序に関して、その順序に少なくとも１つの不連続点をもつ、ステップと、
順序付けられた１以上のＰＣＭオーディオフレームのシーケンスのうちの１つと同じ順序のシーケンシャルな順序を持つか又はさらなるシーケンシャルな順序を持つ修正されフェードアップ及びフェードダウンされたフレームのシーケンスに、フェードアップ及びフェードダウンされたシーケンシャルな対のＰＣＭオーディオを重複させて付加的に結合する（１２）ステップと、
これにより、さらに順序付けられたＰＣＭオーディオフレームのシーケンスであって、ＰＣＭオーディオフレームの連続する対はフェードアップ及びフェードダウンされたＰＣＭオーディオを重複させて結合したＰＣＭオーディオのクロスフェードした部分を有する、さらに順序付けられたＰＣＭオーディオフレームのシーケンスが提供されることを特徴とする、ＰＣＭオーディオを処理する方法。
【請求項２９】
前記受信した修正されたＰＣＭオーディオフレームは時間圧縮されており、前記受信した修正されたＰＣＭオーディオフレームを伸張するステップをさらに具備することを特徴とする請求項２８に記載の方法。
【請求項３０】
前記受信した修正されたＰＣＭオーディオフレームは時間圧縮とエンコードとがなされており、前記受信した修正されたＰＣＭオーディオフレームを伸張するステップとデコーディングするステップとをさらに具備することを特徴とする請求項２８に記載の方法。
【請求項３１】
前記受信した修正されたＰＣＭオーディオフレームは損失のないコーディングによりエンコードされることを特徴とする請求項３０に記載の方法。
【請求項３２】
前記フェードアップするステップ及びフェードダウンするステップには、ＰＣＭオーディオの一部をフェーディング関数で乗算するステップと、他のＰＣＭオーディオの一部から前記乗算した結果得られたＰＣＭオーディオの一部を減算するステップとが含まれ、前記さらなるＰＣＭオーディオフレームのシーケンスは、前記受信した順序付けられたＰＣＭオーディオフレームのシーケンスの少なくとも一部と同じ順序を有し、前記さらなるＰＣＭオーディオフレームのシーケンスは、前記受信した順序付けられたＰＣＭオーディオフレームのシーケンスの少なくとも一部の再構成と実質的に同一であることを特徴とする請求項２８又は請求項３１に記載の方法。
【請求項３３】
ＰＣＭオーディオを処理する方法であって、
修正されたＰＣＭオーディオフレームを受信するステップであって、該修正されたフレームは、
順序付けられたシーケンスの最初のフレームを除く１以上の順序付けられたシーケンスの全てのフレームの先端部に、前記順序付けられたシーケンスにおいて先行する隣のフレームの後端部のＰＣＭオーディオの実質的なレプリカであるＰＣＭオーディオセグメントを付加するか又は、順序付けられたシーケンスの最初のフレームを除く１以上の順序付けられたシーケンスの全てのフレームの後端部に、前記順序付けられたシーケンスにおいて後続する隣のフレームの先端部のＰＣＭオーディオの実質的なレプリカであるＰＣＭオーディオセグメントを付加することで、ＰＣＭオーディオフレームの１以上の順序付けられたシーケンスを処理することにより生成されたものであり、
順序付けられた１以上のＰＣＭオーディオフレームのシーケンスのうちの１つと同じ順序のシーケンシャルな順序を有するか又は、順序付けられた１以上のＰＣＭオーディオフレームのうちの１つのシーケンスとは異なった順序のさらなるシーケンシャルな順序を有し、これにより、前記さらなるシーケンシャルな順序は、順序付けられた１以上のＰＣＭオーディオフレームのうちの１つの順序に関し、その順序に少なくとも１つの不連続点をもつこととなることを特徴とするステップと、
セグメントがフレームの先端部に付加されたとき、前記修正されたフレームの先端部に付加されたＰＣＭオーディオをフェードアップし（８）、前記修正されたフレームの後端部にあるＰＣＭオーディオをフェードダウンし（８）、セグメントがフレームの後端部に付加されたとき、前記修正されたフレームの後端部に付加されたＰＣＭオーディオをフェードダウンし、（８）前記修正されたフレームの先端部のＰＣＭオーディオをフェードアップする（８）ステップと、
修正されフェードアップ及びフェードダウンされたフレームのシーケンスに、フェードアップ及びフェードダウンされたシーケンシャルな対のＰＣＭオーディオを重複させて付加的に結合する（１２）ステップと、
これにより、さらに順序付けられたＰＣＭオーディオフレームのシーケンスであって、ＰＣＭオーディオフレームの連続する対はフェードアップ及びフェードダウンされたＰＣＭオーディオを重複させて結合したＰＣＭオーディオのクロスフェードした部分を有する、さらに順序付けられたＰＣＭオーディオフレームのシーケンスが提供されることを特徴とする、ＰＣＭオーディオを処理する方法
【請求項３４】
前記受信した修正されフェードアップ及びフェードダウンされたＰＣＭオーディオフレームは時間圧縮され、前記受信した修正されたＰＣＭオーディオフレームを伸張するステップをさらに具備する請求項３３に記載の方法。
【請求項３５】
前記修正されフェードアップ及びフェードダウンされたＰＣＭオーディオフレームは時間圧縮とエンコードがなされ、前記受信した修正されたＰＣＭオーディオフレームを伸張するステップとデコードするステップとをさらに具備する請求項３３に記載の方法。
【請求項３６】
前記修正されたフレームを、受信したときのそれらの順序と同じシーケンシャルな順序に保持する（４）ステップをさらに具備し、前記修正されたフレームは、前記ＰＣＭオーディオフレームの１以上の順序付けられたシーケンスのうちの１つの順序に関して、その順序に少なくとも１つの不連続点をもつか、又は、前記修正されたフレームにさらなるシーケンシャルな順序を割り当て、ここで、該さらなるシーケンシャルな順序は、前記ＰＣＭオーディオフレームの１以上の順序付けられたシーケンスのうちの１つの順序に関して、その順序に少なくとも１つの不連続点をもつことを特徴とする請求項３３に記載の方法。